(57)【要約】【課題】印刷装置における色再現性の向上を図る。【解決手段】インクジェット印刷装置１は、シアン、マゼンタ、イエロー、ブラックのインクを用いて用紙に印刷し、インクの交換により印刷に使用するインクの色の組み合わせであるインク色構成を変更可能な印刷部３２と、原稿を読み取って画像データを生成する画像読取部７と、インク色構成と、原稿に使用されたインクの色の組み合わせである原稿色構成との組み合わせごとの、インク色構成による色再現範囲を再現するためのカラープロファイルを記憶する記憶部９と、画像読取部７で読み取られた原稿の原稿色構成および印刷時における印刷部３２のインク色構成に応じたカラープロファイルを用いて、画像データをインク色構成に対応する色表現形式に色変換する色変換部８２と、色変換された画像データに基づく印刷を印刷部３２により実行するよう制御する印刷制御部７４とを備える。【選択図】図２
2015162796.tif 000002
【特許請求の範囲】
【請求項１】
複数色の色材を用いて用紙に印刷し、色材の交換により印刷に使用する色材の色の組み合わせである印刷色構成を変更可能な印刷部と、
原稿を読み取って画像データを生成する画像読取部と、
印刷色構成と、原稿に使用された色材の色の組み合わせである原稿色構成との組み合わせごとの、印刷色構成による色再現範囲を再現するためのカラープロファイルを記憶する記憶部と、
前記記憶部に記憶されたカラープロファイルのうち、前記画像読取部で読み取られた原稿の原稿色構成および印刷時における前記印刷部の印刷色構成に応じたカラープロファイルを用いて、前記画像データを印刷色構成に対応する色表現形式に色変換する色変換部と、
色変換された前記画像データに基づく印刷を前記印刷部により実行するよう制御する印刷制御部と
を備えることを特徴とする印刷装置。
【請求項２】
前記記憶部は、用紙種類に応じた、印刷色構成と原稿色構成との組み合わせごとのカラープロファイルを記憶しており、
前記色変換部は、印刷に使用される用紙種類に応じて、前記画像データの色変換に使用するカラープロファイルを選択することを特徴とする請求項１に記載の印刷装置。
【発明の詳細な説明】
【技術分野】
【０００１】
本発明は、原稿を読み取って印刷する印刷装置に関する。
【背景技術】
【０００２】
色材としてシアン（Ｃ）、マゼンタ（Ｍ）、イエロー（Ｙ）、ブラック（Ｋ）のインクを用いてフルカラー印刷可能なインクジェット印刷装置が知られている（例えば、特許文献１参照）。
【０００３】
しかし、このインクジェット印刷装置でも、ユーザの所望の色を表現できないことがある。そこで、装置に装着済みのインクカートリッジを他の色のインクカートリッジに交換して、インクジェットヘッドが吐出するインク色を変更することがある。これにより、ユーザの所望の色を再現可能な装置に変更できる。例えば、マゼンタのインクをレッド（Ｒ）のインクに交換することで、印刷物において彩度の高いレッドが再現可能になる。
【０００４】
ところで、インクジェット印刷装置においてコピー機能で印刷を行う際、スキャナで原稿を読み取って生成されたＲＧＢ形式の画像データが印刷装置のインク色の組み合わせに対応する色表現形式に色変換される。そして、色変換後の画像データに基づき印刷が行われる。
【０００５】
色変換には、カラープロファイルが用いられる。カラープロファイルは、ＲＧＢ値と、印刷装置のインク色の組み合わせに対応する色表現形式における値（例えばＣＭＹＫ値）との対応関係を示すものである。
【０００６】
通常、インクジェット印刷装置では、色変換前後の色再現範囲が１：１対応のカラープロファイルが用いられる。この色再現範囲は、当該装置のインク色の組み合わせによる色再現範囲である。
【０００７】
例えば、インクジェット印刷装置のインク色の組み合わせがシアン、マゼンタ、イエロー、ブラックの場合、その４色の組み合わせに対応した、色変換前後の色再現範囲が１：１対応のカラープロファイルが用いられる。マゼンタのインクがレッドのインクに交換された場合には、シアン、レッド、イエロー、ブラックの組み合わせに対応した、色変換前後の色再現範囲が１：１対応のカラープロファイルが用いられる。このようなカラープロファイルを用いることにより、インクジェット印刷装置が現在のインク色の組み合わせと同じインク色の組み合わせで印刷された印刷物を原稿としてコピーする際に、原稿の色再現範囲を維持した印刷物が得られる。
【先行技術文献】
【特許文献】
【０００８】
【特許文献１】特開２０１２−８６４８９号公報
【発明の概要】
【発明が解決しようとする課題】
【０００９】
ところで、インク色を変更するインク交換を行ったインクジェット印刷装置で、現在のインク色の組み合わせとは異なるインク色の組み合わせで印刷された印刷物を原稿としてコピーを行うことがある。例えば、インクジェット印刷装置においてインク色を変更するインク交換を行った後、インク交換前に当該装置で印刷された印刷物を原稿としてコピーを行うことがある。具体的には、マゼンタからレッドへのインク交換によりインク色の組み合わせがシアン、レッド、イエロー、ブラックとなった装置において、インク交換前にシアン、マゼンタ、イエロー、ブラックのインクで印刷された印刷物を原稿としてコピーを行うことがある。
【００１０】
このような場合でも、前述のように、インク交換後のインク色の組み合わせに対応した、色変換前後の色再現範囲が１：１対応のカラープロファイルを用いて印刷が行われる。しかし、この場合、原稿における色再現範囲と、インク交換後である印刷時のインク色の組み合わせによる色再現範囲とが異なることから、印刷時のインク色の組み合わせによる色再現範囲内の一部が再現されず、色再現性が不足することがある。
【００１１】
本発明は上記に鑑みてなされたもので、色再現性を向上できる印刷装置を提供することを目的とする。
【課題を解決するための手段】
【００１２】
上記目的を達成するため、本発明に係る印刷装置の第１の特徴は、複数色の色材を用いて用紙に印刷し、色材の交換により印刷に使用する色材の色の組み合わせである印刷色構成を変更可能な印刷部と、原稿を読み取って画像データを生成する画像読取部と、印刷色構成と、原稿に使用された色材の色の組み合わせである原稿色構成との組み合わせごとの、印刷色構成による色再現範囲を再現するためのカラープロファイルを記憶する記憶部と、前記記憶部に記憶されたカラープロファイルのうち、前記画像読取部で読み取られた原稿の原稿色構成および印刷時における前記印刷部の印刷色構成に応じたカラープロファイルを用いて、前記画像データを印刷色構成に対応する色表現形式に色変換する色変換部と、色変換された前記画像データに基づく印刷を前記印刷部により実行するよう制御する印刷制御部とを備えることにある。
【００１３】
本発明に係る印刷装置の第２の特徴は、前記記憶部は、用紙種類に応じた、印刷色構成と原稿色構成との組み合わせごとのカラープロファイルを記憶しており、前記色変換部は、印刷に使用される用紙種類に応じて、前記画像データの色変換に使用するカラープロファイルを選択することにある。
【発明の効果】
【００１４】
本発明に係る印刷装置の第１の特徴によれば、印刷色構成と原稿色構成との組み合わせごとの、印刷色構成に応じた色再現範囲を再現するためのカラープロファイルを記憶部に記憶している。色変換部は、記憶部に記憶されたカラープロファイルのうち、画像読取部で読み取られた原稿の原稿色構成および印刷時における印刷部の印刷色構成に応じたカラープロファイルを用いて、原稿の画像データの色変換を行う。これにより、原稿色構成による色再現範囲と印刷時の印刷色構成による色再現範囲とが異なる場合でも、印刷色構成による色再現範囲を再現できる。この結果、印刷装置は、色再現性を向上できる。
【００１５】
本発明に係る印刷装置の第２の特徴によれば、用紙種類に応じた、印刷色構成と原稿色構成との組み合わせごとのカラープロファイルを記憶部に記憶している。色変換部は、印刷に使用される用紙種類に応じて、画像データの色変換に使用するカラープロファイルを選択する。これにより、用紙種類に応じたカラープロファイルを用いることで、印刷画質を向上できる。
【図面の簡単な説明】
【００１６】
【図１】実施の形態に係る印刷装置の概略構成図である。
【図２】実施の形態に係るインクジェット印刷装置の制御ブロック図である。
【図３】（ａ）は第１プロファイルを示す図、（ｂ）は第２プロファイルを示す図、（ｃ）は第３プロファイルを示す図、（ｄ）は第４プロファイルを示す図である。
【図４】ＣＭＹＫによる色再現範囲を示す図である。
【図５】ＣＲＹＫによる色再現範囲を示す図である。
【図６】各カラープロファイルの概要を示す図である。
【図７】カラープロファイルテーブルを示す図である。
【図８】実施の形態に係るインクジェット印刷装置におけるコピー時の動作を説明するためのフローチャートである。
【図９】原稿判定処理を説明するための図である。
【図１０】ＣＭＹＫ原稿に対して、第１プロファイルによる色変換を行った場合、および第２プロファイルによる色変換を行った場合のそれぞれの色再現範囲の変化を示す図である。
【図１１】ＣＲＹＫ原稿に対して、第１プロファイルによる色変換を行った場合、および第２プロファイルによる色変換を行った場合のそれぞれの色再現範囲の変化を示す図である。
【図１２】ＣＲＹＫ原稿に対して、第３プロファイルによる色変換を行った場合、および第４プロファイルによる色変換を行った場合のそれぞれの色再現範囲の変化を示す図である。
【図１３】ＣＭＹＫ原稿に対して、第３プロファイルによる色変換を行った場合、および第４プロファイルによる色変換を行った場合のそれぞれの色再現範囲の変化を示す図である。
【発明を実施するための形態】
【００１７】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００１８】
また、以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１９】
図１は、本発明の実施の形態に係るインクジェット印刷装置の概略構成図である。図２は、図１に示すインクジェット印刷装置の制御ブロック図である。以下の説明において、図１の紙面に直交する方向を前後方向とし、紙面表方向を前方とする。また、図１における紙面の上下左右を上下左右方向とする。
【００２０】
図１において太線で示す経路が、印刷媒体である用紙が搬送される搬送経路である。搬送経路のうち、実線で示す経路が通常経路ＲＣ、一点鎖線で示す経路が反転経路ＲＲ、破線で示す経路が排紙経路ＲＤ、二点鎖線で示す経路が給紙経路ＲＳである。以下の説明における上流、下流は、搬送経路における上流、下流を意味する。
【００２１】
図１、図２に示すように、本実施の形態に係るインクジェット印刷装置１は、給紙部２と、搬送印刷部３と、上面搬送部４と、排紙部５と、反転部６と、画像読取部７と、操作パネル部８と、記憶部９と、制御部１０と、各部を収納または保持する筐体１１とを備える。
【００２２】
給紙部２は、用紙Ｐを給紙する。給紙部２は、搬送経路の最も上流側に配置されている。給紙部２は、外部給紙台２１と、外部給紙ローラ２２と、複数の内部給紙台２３と、複数の内部給紙ローラ２４と、複数対の縦搬送ローラ２５と、レジストローラ２６とを備える。
【００２３】
外部給紙台２１は、印刷に用いられる用紙Ｐが積載されるものである。外部給紙台２１は、一部が筐体１１の外部に露出して設置されている。
【００２４】
外部給紙ローラ２２は、外部給紙台２１から用紙Ｐを１枚ずつ取り出し、給紙経路ＲＳに沿ってレジストローラ２６へ向けて搬送する。外部給紙ローラ２２は、図示しないモータにより駆動される。
【００２５】
内部給紙台２３は、印刷に用いられる用紙Ｐが積載されるものである。内部給紙台２３は、筐体１１の内部に配置されている。
【００２６】
内部給紙ローラ２４は、内部給紙台２３から用紙Ｐを１枚ずつ取り出して給紙経路ＲＳへと送り出す。内部給紙ローラ２４は、図示しないモータにより駆動される。
【００２７】
縦搬送ローラ２５は、内部給紙台２３から取り出された用紙Ｐをレジストローラ２６へ向けて搬送する。縦搬送ローラ２５は、給紙経路ＲＳに沿って配置されている。縦搬送ローラ２５は、図示しないモータにより駆動される。
【００２８】
レジストローラ２６は、外部給紙台２１、内部給紙台２３、反転部６から搬送されてきた用紙Ｐを一旦止めた後、搬送印刷部３へ搬送する。レジストローラ２６は、給紙経路ＲＳと反転経路ＲＲとの合流地点の近傍の通常経路ＲＣ上に配置されている。レジストローラ２６は、図示しないモータにより駆動される。
【００２９】
搬送印刷部３は、給紙部２により給紙された用紙Ｐを搬送しつつ、用紙Ｐに画像を印刷する。搬送印刷部３は、ベルト搬送部３１と、印刷部３２とを備える。
【００３０】
ベルト搬送部３１は、レジストローラ２６から搬送されてきた用紙Ｐをベルト上に吸着保持して搬送する。ベルト搬送部３１は、図示しないモータにより駆動される。
【００３１】
印刷部３２は、複数色のインク（請求項の色材に相当）を用いて用紙Ｐに印刷を行う。印刷部３２は、インクジェットヘッド３６Ａ，３６Ｂ，３６Ｃ，３６Ｄと、インクカートリッジ装着部３７Ａ，３７Ｂ，３７Ｃ，３７Ｄと、インクカートリッジ３８Ｋ，３８Ｃ，３８Ｒ，３８Ｙとを備える。なお、インクジェットヘッド３６Ａ〜３６Ｄ、インクカートリッジ装着部３７Ａ〜３７Ｄ、インクカートリッジ３８Ｋ，３８Ｃ，３８Ｒ，３８Ｙの符号におけるアルファベットの添え字（Ａ〜Ｄ，Ｋ，Ｃ，Ｒ，Ｙ）を省略して総括的に表記することがある。
【００３２】
インクジェットヘッド３６Ａ，３６Ｂ，３６Ｃ，３６Ｄは、それぞれインクカートリッジ装着部３７Ａ，３７Ｂ，３７Ｃ，３７Ｄに装着されたインクカートリッジ３８から供給されるインクを吐出する。インクジェットヘッド３６は、用紙Ｐの搬送方向と直交する方向（前後方向）に沿って配置された複数のノズルを有し、ノズルからインクを吐出する。インクジェットヘッド３６には、図示しないインク経路を介してインクカートリッジ３８からインクが供給されるようになっている。インクジェットヘッド３６Ａ，３６Ｂ，３６Ｃ，３６Ｄは、ベルト搬送部３１の上方において、用紙Ｐの搬送方向（左右方向）に沿って並列配置されている。
【００３３】
インクカートリッジ装着部３７は、インクカートリッジ３８が装着されるものである。インクカートリッジ装着部３７は、インクカートリッジ３８が着脱可能に構成されている。インクカートリッジ装着部３７は、インク情報読取部３９を有する。
【００３４】
インク情報読取部３９は、インクカートリッジ３８のタグ（図示せず）からインク情報を読み取る。インク情報は、インクカートリッジ３８のインクの色を示す情報を含むものである。
【００３５】
インクカートリッジ３８は、印刷に用いられるインクを収容している。インクカートリッジ３８Ｋ，３８Ｃ，３８Ｒ，３８Ｙは、それぞれブラック（Ｋ）、シアン（Ｃ）、レッド（Ｒ）、イエロー（Ｙ）のインクを収容している。インクカートリッジ３８には、インク情報を保持したタグ（図示せず）が取り付けられている。インクカートリッジ３８は、インクカートリッジ装着部３７に着脱可能になっている。
【００３６】
ここで、印刷部３２では、インクカートリッジ装着部３７に装着されたインクカートリッジ３８を他の色のものに交換することで、インク色構成（請求項の印刷色構成に相当）が変更可能である。インク色構成は、印刷に使用するインク色の組み合わせである。本実施の形態では、インクカートリッジ装着部３７Ｃにおいて、レッドのインクを収容しているインクカートリッジ３８Ｒと、マゼンタ（Ｍ）のインクを収容しているインクカートリッジ３８Ｍとの間で交換が行われることがあるものとする。
【００３７】
上面搬送部４は、ベルト搬送部３１により搬送されてきた用紙Ｐを右方向から左方向へとＵターンするように搬送する。上面搬送部４は、複数対の上面搬送ローラ４１を備える。
【００３８】
上面搬送ローラ４１は、搬送経路に沿って用紙Ｐを搬送する。最下流の上面搬送ローラ４１は、反転経路ＲＲの上流部に配置されている。他の上面搬送ローラ４１は、ベルト搬送部３１と排紙部５との間の通常経路ＲＣに沿って配置されている。上面搬送ローラ４１は、図示しないモータにより駆動される。
【００３９】
排紙部５は、印刷済みの用紙Ｐを排紙する。排紙部５は、切替部４６と、排紙ローラ４７と、排紙台４８とを備える。
【００４０】
切替部４６は、用紙Ｐの搬送経路を排紙経路ＲＤと反転経路ＲＲとの間で切り替える。切替部４６は、排紙経路ＲＤと反転経路ＲＲとの分岐地点に配置されている。切替部４６は、図示しないソレノイドにより駆動される。
【００４１】
排紙ローラ４７は、切替部４６によって排紙経路ＲＤへと導かれた用紙Ｐを搬送して排紙台４８へ排紙する。排紙ローラ４７は、排紙経路ＲＤに沿って、切替部４６と排紙台４８との間に配置されている。排紙ローラ４７は、図示しないモータにより駆動される。
【００４２】
排紙台４８は、排紙ローラ４７により排紙された印刷済みの用紙Ｐが積載されるものである。排紙台４８は、筐体１１から突出したトレイ形状を有し、傾斜して設置されている。
【００４３】
反転部６は、両面印刷の際に、片面印刷済みの用紙Ｐを反転させてレジストローラ２６へ搬送する。反転部６は、反転ローラ５１と、スイッチバック部５２と、再給紙ローラ５３と、切替ゲート５４とを備える。
【００４４】
反転ローラ５１は、上面搬送部４の上面搬送ローラ４１により搬送されてきた用紙Ｐをスイッチバック部５２に一時的に搬入した後に搬出して、再給紙ローラ５３へ搬送する。反転ローラ５１は、最下流の上面搬送ローラ４１とスイッチバック部５２の搬入口との間の反転経路ＲＲ上に配置されている。反転ローラ５１は、図示しないモータにより駆動される。
【００４５】
スイッチバック部５２は、反転ローラ５１が用紙Ｐを一時的に搬入するための空間である。スイッチバック部５２は、排紙台４８の下部に形成されている。スイッチバック部５２は、反転ローラ５１の近傍が用紙Ｐを搬入するために開口されている。
【００４６】
再給紙ローラ５３は、反転ローラ５１により搬送されてきた用紙Ｐをレジストローラ２６へ搬送する。再給紙ローラ５３は、反転ローラ５１とレジストローラ２６との間の反転経路ＲＲ上に配置されている。再給紙ローラ５３は、図示しないモータにより駆動される。
【００４７】
切替ゲート５４は、上面搬送ローラ４１により搬送されてきた用紙Ｐを反転ローラ５１へとガイドする。また、切替ゲート５４は、反転ローラ５１によりスイッチバック部５２から搬出される用紙Ｐを再給紙ローラ５３へとガイドする。切替ゲート５４は、最下流の上面搬送ローラ４１、反転ローラ５１、および再給紙ローラ５３の３個所の重心近傍に配置されている。
【００４８】
画像読取部７は、原稿を光学的に読み取ってＲＧＢ形式の画像データを生成する。画像読取部７は、原稿台、受光素子、光源、レンズ、走査機構、自動原稿送り装置（いずれも図示せず）等を備えて構成される。
【００４９】
操作パネル部８は、ユーザの入力操作を受け付けるとともに、各種の情報等を表示するものである。操作パネル部８は、ユーザが各種の入力操作を行うための操作ボタンおよびタッチパネル等を有する入力部と、各種の情報等を表示する液晶表示パネル等からなる表示部（いずれも図示せず）とを備える。
【００５０】
記憶部９は、ＨＤＤ（Hard Disk Drive）等からなる。記憶部９は、各種のプログラムを記憶している。
【００５１】
また、記憶部９は、インク色構成と原稿色構成との組み合わせごとの、インク色構成に応じた色再現範囲を再現するためのカラープロファイルを記憶している。具体的には、記憶部９は、図３（ａ）に示す第１プロファイルＣＰ１と、図３（ｂ）に示す第２プロファイルＣＰ２と、図３（ｃ）に示す第３プロファイルＣＰ３と、図３（ｄ）に示す第４プロファイルＣＰ４とを記憶している。第１〜第４プロファイルＣＰ１〜ＣＰ４は、後述の色変換部８２による色変換処理に用いられるものである。
【００５２】
ここで、前述のように、本実施の形態では、レッドとマゼンタとの間でインク色の交換が行われることがあるものとする。このため、印刷部３２のインク色構成としては、ＣＲＹＫとＣＭＹＫとがある。ＣＲＹＫは、シアン（Ｃ）、レッド（Ｒ）、イエロー（Ｙ）、ブラック（Ｋ）の組み合わせである。ＣＭＹＫは、シアン（Ｃ）、マゼンタ（Ｍ）、イエロー（Ｙ）、ブラック（Ｋ）の組み合わせである。
【００５３】
原稿色構成は、インクジェット印刷装置１でコピーを行う際に原稿として使用される印刷物の印刷時に使用されたインクの色の組み合わせである。原稿色構成としては、インク色構成と同様に、ＣＲＹＫとＣＭＹＫとがあるものとする。例えば、インクジェット印刷装置１のインク色構成がＣＭＹＫのときにインクジェット印刷装置１で印刷された印刷物を原稿とする場合、原稿色構成はＣＭＹＫとなる。
【００５４】
したがって、インク色構成と原稿色構成との組み合わせとしては、インク色構成および原稿色構成がともにＣＲＹＫ、インク色構成がＣＲＹＫで原稿色構成がＣＭＹＫ、インク色構成および原稿色構成がともにＣＭＹＫ、インク色構成がＣＭＹＫで原稿色構成がＣＲＹＫ、の４通りがある。
【００５５】
ＣＭＹＫとＣＲＹＫとでは色再現範囲が異なる。図４は、Ｌ＊ａ＊ｂ＊表示系のａ＊ｂ＊平面上にＣＭＹＫによる色再現範囲を示した図である。図５は、同様にＣＲＹＫによる色再現範囲を示した図である。図４、図５において、破線の太線で囲んだ範囲が、それぞれの色再現範囲である。図４、図５から分かるように、ＣＲＹＫでは、ＣＭＹＫに比べて、レッド（Ｒ）の色域の再現性に優れる。一方、ＣＲＹＫでは、ＣＭＹＫに比べて、ブルー（Ｂ）、マゼンタ（Ｍ）の色域の再現性は低い。
【００５６】
インクジェット印刷装置１では、原稿をコピーする際に、上記のようなＣＭＹＫとＣＲＹＫとの色再現範囲の違いを考慮した適切な色変換処理を行うために、第１〜第４プロファイルＣＰ１〜ＣＰ４の４つのカラープロファイルを保持している。
【００５７】
図３（ａ）の第１プロファイルＣＰ１は、インク色構成および原稿色構成がともにＣＲＹＫの組み合わせの場合に使用されるものである。図６に示すように、第１プロファイルＣＰ１は、ＣＲＹＫによる色再現範囲に対応するものであって、色変換前後の色再現範囲が１：１で対応しているカラープロファイルである。この第１プロファイルＣＰ１によれば、ＣＲＹＫの原稿の色再現範囲が保たれる。第１プロファイルＣＰ１は、このような色変換を実現するためのＲＧＢ値とＣＲＹＫ値との対応関係を示すものである。
【００５８】
図３（ｂ）の第２プロファイルＣＰ２は、インク色構成がＣＲＹＫで原稿色構成がＣＭＹＫの場合に使用されるものである。図６に示すように、第２プロファイルＣＰ２は、ＣＭＹＫの色再現範囲をＣＲＹＫの色再現範囲に変化させるカラープロファイルである。この第２プロファイルＣＰ２によれば、印刷物におけるレッドの発色が向上する。第２プロファイルＣＰ２は、このような色変換を実現するためのＲＧＢ値とＣＲＹＫ値との対応関係を示すものである。
【００５９】
図３（ｃ）の第３プロファイルＣＰ３は、インク色構成および原稿色構成がともにＣＭＹＫの組み合わせの場合に使用されるものである。図６に示すように、第３プロファイルＣＰ３は、ＣＭＹＫによる色再現範囲に対応するものであって、色変換前後の色再現範囲が１：１で対応しているカラープロファイルである。この第３プロファイルＣＰ３によれば、ＣＭＹＫの原稿の色再現範囲が保たれる。第３プロファイルＣＰ３は、このような色変換を実現するためのＲＧＢ値とＣＭＹＫ値との対応関係を示すものである。
【００６０】
図３（ｄ）の第４プロファイルＣＰ４は、インク色構成がＣＭＹＫで原稿色構成がＣＲＹＫの組み合わせの場合に使用されるものである。図６に示すように、第４プロファイルＣＰ４は、ＣＲＹＫの色再現範囲をＣＭＹＫの色再現範囲に変化させるカラープロファイルである。この第４プロファイルＣＰ４によれば、ＣＲＹＫでは再現性が低いブルー、マゼンタの色域の再現性が向上する。第４プロファイルＣＰ４は、このような色変換を実現するためのＲＧＢ値とＣＭＹＫ値との対応関係を示すものである。
【００６１】
第１〜第４プロファイルＣＰ１〜ＣＰ４において、Ｒ，Ｇ，Ｂの値は、それぞれ２５６階調の値である。第１および第２プロファイルＣＰ１，ＣＰ２におけるＣ，Ｒ，Ｙ，Ｋの値、および、第３および第４プロファイルＣＰ３，ＣＰ４におけるＣ，Ｍ，Ｙ，Ｋの値は、各色の最大濃度に対する比率（％）で表される値である。
【００６２】
また、記憶部９は、図７に示すカラープロファイルテーブル６１を記憶している。カラープロファイルテーブル６１は、インク色構成と原稿色構成との各組み合わせに対応して用いられるカラープロファイルを示すものである。ここで、原稿色構成がＣＲＹＫでもＣＭＹＫでもない「その他」の場合は、そのときのインク色構成において、インク色構成と原稿色構成とが同じである組み合わせの場合と同様のカラープロファイルが用いられる。具体的には、図７に示すように、原稿色構成が「その他」でインク色構成がＣＲＹＫのときは、第１プロファイルが用いられる。原稿色構成が「その他」でインク色構成がＣＭＹＫのときは、第３プロファイルが用いられる。
【００６３】
制御部１０は、インクジェット印刷装置１における制御的な処理を行う。制御部１０は、ＣＰＵ、ＲＡＭ、ＲＯＭ等を備えて構成される。制御部１０は、搬送制御部７１と、画像読取制御部７２と、画像処理部７３と、印刷制御部７４とを備える。制御部１０の各部は、ＣＰＵが記憶部９に格納されたプログラムにしたがって動作すること等により構成される。
【００６４】
搬送制御部７１は、給紙部２、ベルト搬送部３１、上面搬送部４、排紙部５、反転部６による用紙Ｐの搬送を制御する。
【００６５】
画像読取制御部７２は、画像読取部７を制御して原稿の画像を読み取らせる。
【００６６】
画像処理部７３は、原稿の画像データを処理して、ドロップデータを生成する。ドロップデータは、印刷部３２におけるインクジェットヘッド３６Ａ〜３６Ｄによる印刷に対応する形式の画像データである。ドロップデータは、各画素に吐出する各色のインクのドロップ数を示すデータである。画像処理部７３は、原稿判定部８１と、色変換部８２と、ドロップデータ生成部８３とを備える。
【００６７】
原稿判定部８１は、原稿判定処理を行う。原稿判定処理は、画像読取部７で読み取られた原稿の画像データに基づき原稿色構成を判定する処理である。
【００６８】
色変換部８２は、原稿の画像データに対して色変換処理を行う。色変換処理は、原稿の画像データを、ＲＧＢ形式から印刷時における印刷部３２のインク色構成に対応する色表現形式に色変換する処理である。色変換処理において、色変換部８２は、第１〜第４プロファイルＣＰ１〜ＣＰ４のうち、画像読取部７で読み取られた原稿の原稿色構成および印刷時における印刷部３２のインク色構成に応じたカラープロファイルを用いる。
【００６９】
ドロップデータ生成部８３は、色変換処理後の画像データに基づき、ドロップデータを生成する。
【００７０】
印刷制御部７４は、色変換された画像データに基づく印刷を印刷部３２により実行するよう制御する。具体的には、印刷制御部７４は、ドロップデータに基づきインクジェットヘッド３６Ａ〜３６Ｄによるインクの吐出を制御して印刷させる。
【００７１】
次に、インクジェット印刷装置１におけるコピー時の動作について説明する。
【００７２】
図８は、インクジェット印刷装置１におけるコピー時の動作を説明するためのフローチャートである。図８のフローチャートの処理は、画像読取部７に原稿がセットされ、操作パネル部８に対する操作によりコピーの開始が指示されることにより開始となる。
【００７３】
図５のステップＳ１において、色変換部８２は、インクカートリッジ装着部３７Ａ〜３７Ｄのインク情報読取部３９からインク情報を取得する。
【００７４】
次いで、ステップＳ２において、画像読取制御部７２は、画像読取部７に原稿の画像を読み取らせる。画像読取部７は、ＲＧＢ形式の原稿の画像データを生成する。
【００７５】
次いで、ステップＳ３において、原稿判定部８１は、原稿判定処理を行う。具体的には、原稿判定部８１は、まず、原稿の画像データの各画素のＲＧＢ値に基づき、Ｌ＊ａ＊ｂ＊表示系におけるａ＊，ｂ＊の値を算出する。そして、図９において斜線ハッチングで示した色域９１に含まれる画素があり、点ハッチングで示した色域９２に含まれる画素がない場合、原稿判定部８１は、原稿色構成はＣＲＹＫであると判定する。色域９１に含まれる画素がなく、色域９２に含まれる画素がある場合、原稿判定部８１は、原稿色構成はＣＭＹＫであると判定する。ＣＲＹＫでもＣＭＹＫでもない場合、原稿判定部８１は、原稿色構成は「その他」であると判定する。
【００７６】
ここで、図９における色域９１は、図４に示したＣＭＹＫによる色再現範囲には含まれないが、図５に示したＣＲＹＫによる色再現範囲に含まれる色域である。図９における色域９２は、ＣＭＹＫによる色再現範囲に含まれるが、ＣＲＹＫによる色再現範囲には含まれない色域である。
【００７７】
図８に戻り、ステップＳ３に続いて、ステップＳ４において、色変換部８２は、原稿判定部８１による原稿判定処理の結果に基づき、原稿色構成がＣＲＹＫであるか否かを判断する。
【００７８】
原稿色構成がＣＲＹＫであると判断した場合（ステップＳ４：ＹＥＳ）、ステップＳ５において、色変換部８２は、ステップＳ１で取得したインク色情報に基づき、現在のインク色構成がＣＲＹＫであるか否かを判断する。
【００７９】
インク色構成がＣＲＹＫであると判断した場合（ステップＳ５：ＹＥＳ）、ステップＳ６において、色変換部８２は、カラープロファイルテーブル６１を参照し、色変換処理で用いるカラープロファイルとして第１プロファイルＣＰ１を選択する。この後、色変換部８２は、ステップＳ１３へ進む。
【００８０】
インク色構成がＣＲＹＫではなくＣＭＹＫであると判断した場合（ステップＳ５：ＮＯ）、ステップＳ７において、色変換部８２は、カラープロファイルテーブル６１を参照し、色変換処理で用いるカラープロファイルとして第４プロファイルＣＰ４を選択する。この後、色変換部８２は、ステップＳ１３へ進む。
【００８１】
ステップＳ４において原稿色構成がＣＲＹＫではないと判断した場合（ステップＳ４：ＮＯ）、ステップＳ８において、色変換部８２は、原稿色構成がＣＭＹＫであるか否かを判断する。
【００８２】
原稿色構成がＣＭＹＫであると判断した場合（ステップＳ８：ＹＥＳ）、ステップＳ９において、色変換部８２は、インク色情報に基づき、現在のインク色構成がＣＲＹＫであるか否かを判断する。
【００８３】
インク色構成がＣＲＹＫであると判断した場合（ステップＳ９：ＹＥＳ）、ステップＳ１０において、色変換部８２は、カラープロファイルテーブル６１を参照し、色変換処理で用いるカラープロファイルとして第２プロファイルＣＰ２を選択する。この後、色変換部８２は、ステップＳ１３へ進む。
【００８４】
インク色構成がＣＲＹＫではなくＣＭＹＫであると判断した場合（ステップＳ９：ＮＯ）、ステップＳ１１において、色変換部８２は、カラープロファイルテーブル６１を参照し、色変換処理で用いるカラープロファイルとして第３プロファイルＣＰ３を選択する。この後、色変換部８２は、ステップＳ１３へ進む。
【００８５】
ステップＳ８において、原稿色構成がＣＭＹＫではない、すなわち原稿色構成が「その他」であると判断した場合（ステップＳ８：ＮＯ）、ステップＳ１２において、色変換部８２は、インク色情報に基づき、現在のインク色構成がＣＲＹＫであるか否かを判断する。
【００８６】
インク色構成がＣＲＹＫであると判断した場合（ステップＳ１２：ＹＥＳ）、色変換部８２は、ステップＳ６へ進む。インク色構成がＣＲＹＫではなくＣＭＹＫであると判断した場合（ステップＳ１２：ＮＯ）、色変換部８２は、ステップＳ１１へ進む。
【００８７】
ステップＳ１３では、色変換部８２は、ステップＳ６，Ｓ７，Ｓ１０，Ｓ１１のいずれかで選択したカラープロファイルを用いて、原稿の画像データに対する色変換処理を行う。例えば、色変換部８２は、原稿色構成およびインク色構成がともにＣＲＹＫであると判断した場合、ステップＳ６で選択した第１プロファイルＣＰ１を用いて、ＲＧＢ形式の原稿の画像データをＣＲＹＫ形式に変換する。
【００８８】
次いで、ステップＳ１４において、ドロップデータ生成部８３は、色変換処理後の画像データに基づき、ドロップデータを生成する。
【００８９】
そして、ステップＳ１５において、印刷制御部７４は、ドロップデータに基づく印刷を実行する。
【００９０】
印刷実行時には、給紙部２の外部給紙台２１および複数の内部給紙台２３のいずれかから未印刷の用紙Ｐがレジストローラ２６へ搬送され、レジストローラ２６により用紙Ｐがベルト搬送部３１へ搬送される。そして、用紙Ｐは、ベルト搬送部３１により搬送されつつ、インクジェットヘッド３６Ａ〜３６Ｄから吐出されるインクにより印刷される。ここで、印刷制御部７４は、ドロップデータに基づきインクジェットヘッド３６Ａ〜３６Ｄによるインクの吐出を制御する。印刷された用紙Ｐは、ベルト搬送部３１から上面搬送部４へ搬送され、上面搬送部４において上面搬送ローラ４１により搬送される。
【００９１】
片面印刷の場合、用紙Ｐは、排紙部５の切替部４６により通常経路ＲＣから排紙経路ＲＤへ導かれる。そして、用紙Ｐは、排紙ローラ４７により排紙台４８へ排紙される。
【００９２】
一方、両面印刷の場合、用紙Ｐは、排紙部５の切替部４６により通常経路ＲＣから反転経路ＲＲへ導かれる。反転経路ＲＲへ導かれた用紙Ｐは、反転部６において、切替ゲート５４により反転ローラ５１へ導かれ、反転ローラ５１によりスイッチバック部５２へ搬入される。その後、用紙Ｐは、反転ローラ５１によりスイッチバック部５２から搬出されるとともに、切替ゲート５４により再給紙ローラ５３へ導かれる。そして、用紙Ｐは、再給紙ローラ５３によりレジストローラ２６へ搬送され、レジストローラ２６によりベルト搬送部３１へ搬送される。
【００９３】
ここで、用紙Ｐは、反転部６により反転されているので、未印刷面が上向きになっている。用紙Ｐは、ベルト搬送部３１により搬送されつつ、インクジェットヘッド３６Ａ〜３６Ｄから吐出されるインクにより未印刷面が印刷される。そして、両面印刷された用紙Ｐは、上面搬送部４により排紙部５へ搬送され、排紙部５において排紙台４８へ排紙される。
【００９４】
次に、各カラープロファイルによる色再現範囲の変化について説明する。
【００９５】
まず、第１および第２プロファイルＣＰ１，ＣＰ２による色再現範囲の変化について説明する。前述のように、第１および第２プロファイルＣＰ１，ＣＰ２は、インク色構成がＣＲＹＫの場合に使用されるものである。
【００９６】
原稿色構成がＣＭＹＫの原稿（ＣＭＹＫ原稿）に対して、第１プロファイルＣＰ１による色変換を行った場合、および第２プロファイルＣＰ２による色変換を行った場合のそれぞれの色再現範囲の変化を図１０に示す。
【００９７】
前述のように、第１プロファイルＣＰ１は、ＣＲＹＫによる色再現範囲に対応するものであって、色変換前後の色再現範囲が１：１で対応しているカラープロファイルである。この第１プロファイルＣＰ１によれば、ＣＲＹＫによる色再現範囲内の色が、色変換前後で維持される。
【００９８】
例えば、図１０に示すように、点Ａ１，Ａ２に対応する色を第１プロファイルＣＰ１により色変換した後の色に対応する点が、それぞれ点Ｂ１，Ｂ２であるとすると、点Ｂ１，Ｂ２はそれぞれ点Ａ１，Ａ２と同じ位置になる。
【００９９】
ここで、点Ａ１，Ａ２は、ＣＭＹＫによる色再現範囲とＣＲＹＫによる色再現範囲との共通部分に含まれるものである。具体的には、点Ａ１は（Ｒ，Ｇ，Ｂ）＝（０，０，３２）、点Ａ２は（Ｒ，Ｇ，Ｂ）＝（２２４，０，３２）に対応するａ＊，ｂ＊の値をプロットしたものである。点Ａ１のＲＧＢ値を第１プロファイルＣＰ１でＣＲＹＫ値に変換すると、図３（ａ）に示すように、（Ｃ，Ｒ，Ｙ，Ｋ）＝（２０，２０，０，０）となる。このＣＲＹＫ値に対応するａ＊，ｂ＊の値をプロットしたのが点Ｂ１である。また、点Ａ２のＲＧＢ値を第１プロファイルＣＰ１でＣＲＹＫ値に変換すると、図３（ａ）に示すように、（Ｃ，Ｒ，Ｙ，Ｋ）＝（０，４０，３０，０）となる。このＣＲＹＫ値に対応するａ＊，ｂ＊の値をプロットしたのが点Ｂ２である。
【０１００】
このような第１プロファイルＣＰ１では、原稿がＣＭＹＫ原稿の場合、色変換後の色再現範囲は、図１０に示すように、ＣＭＹＫによる色再現範囲とＣＲＹＫによる色再現範囲との共通部分となる。このため、ＣＲＹＫによる色再現範囲に対して、レッドの色域の色再現範囲が狭くなる。
【０１０１】
一方、第２プロファイルＣＰ２は、前述のように、ＣＭＹＫの色再現範囲をＣＲＹＫの色再現範囲に変化させるカラープロファイルである。第２プロファイルＣＰ２は、図１０に示すように、ブルー、マゼンタの色域の色再現範囲を縮小し、レッドの色域の色再現範囲を拡張することで、ＣＭＹＫの色再現範囲をインク色構成であるＣＲＹＫの色再現範囲に変化させる。
【０１０２】
この第２プロファイルＣＰ２は、例えば、図１０に示すように、点Ａ１，Ａ２に対応する色を、それぞれ点Ｃ１，Ｃ２に対応する色に変換する。ここで、点Ａ１のＲＧＢ値を第２プロファイルＣＰ２でＣＲＹＫ値に変換すると、図３（ｂ）に示すように、（Ｃ，Ｒ，Ｙ，Ｋ）＝（１５，１５，０，０）となる。このＣＲＹＫ値に対応するａ＊，ｂ＊の値をプロットしたのが点Ｃ１である。また、点Ａ２のＲＧＢ値を第２プロファイルＣＰ２でＣＲＹＫ値に変換すると、図３（ｂ）に示すように、（Ｃ，Ｒ，Ｙ，Ｋ）＝（０，９０，１０，０）となる。このＣＲＹＫ値に対応するａ＊，ｂ＊の値をプロットしたのが点Ｃ２である。
【０１０３】
以上のように、インク色構成がＣＲＹＫで原稿色構成がＣＭＹＫの場合、第１プロファイルＣＰ１によれば、色変換後の色再現範囲が、インク色構成であるＣＲＹＫによる色再現範囲に対してレッドの色域の色再現範囲が狭くなる。これに対し、第２プロファイルＣＰ２によれば、ＣＭＹＫの色再現範囲をＣＲＹＫの色再現範囲に変化させ、レッドの再現性を向上させることができる。このため、インクジェット印刷装置１では、インク色構成がＣＲＹＫで原稿色構成がＣＭＹＫの場合、第２プロファイルＣＰ２を用いる。
【０１０４】
次に、原稿色構成がＣＲＹＫの原稿（ＣＲＹＫ原稿）に対して、第１プロファイルＣＰ１による色変換を行った場合、および第２プロファイルＣＰ２による色変換を行った場合のそれぞれの色再現範囲の変化を図１１に示す。
【０１０５】
原稿がＣＲＹＫ原稿の場合、第１プロファイルＣＰ１によれば、図１１に示すように、色変換後もＣＲＹＫによる色再現範囲が維持される。
【０１０６】
一方、ＣＲＹＫ原稿に対して、第２プロファイルＣＰ２による色変換を行った場合、図１１に示すように、色変換後の色再現範囲は、インク色構成であるＣＲＹＫによる色再現範囲に対して、ブルー、マゼンタの色域の色再現範囲が縮小されたものになる。この結果、ブルー、マゼンタの色域における色のくすみが進行する。
【０１０７】
このため、インクジェット印刷装置１では、インク色構成がＣＲＹＫで原稿色構成もＣＲＹＫの場合、第１プロファイルＣＰ１を用いる。
【０１０８】
次に、第３および第４プロファイルＣＰ３，ＣＰ４による色再現範囲の変化について説明する。前述のように、第３および第４プロファイルＣＰ３，ＣＰ４は、インク色構成がＣＭＹＫの場合に使用されるものである。
【０１０９】
ＣＲＹＫ原稿に対して、第３プロファイルＣＰ３による色変換を行った場合、および第４プロファイルＣＰ４による色変換を行った場合のそれぞれの色再現範囲の変化を図１２に示す。
【０１１０】
前述のように、第３プロファイルＣＰ３は、ＣＭＹＫによる色再現範囲に対応するものであって、色変換前後の色再現範囲が１：１で対応しているカラープロファイルである。この第３プロファイルＣＰ３によれば、ＣＭＹＫによる色再現範囲内の色が、色変換前後で維持される。
【０１１１】
例えば、図１２に示すように、点Ａ１，Ａ２に対応する色を第３プロファイルＣＰ３により色変換した後の色に対応する点が、それぞれ点Ｄ１，Ｄ２であるとすると、点Ｄ１，Ｄ２はそれぞれ点Ａ１，Ａ２と同じ位置になる。
【０１１２】
ここで、点Ａ１のＲＧＢ値を第３プロファイルＣＰ３でＣＭＹＫ値に変換すると、図３（ｃ）に示すように、（Ｃ，Ｍ，Ｙ，Ｋ）＝（３０，３０，０，０）となる。このＣＭＹＫ値に対応するａ＊，ｂ＊の値をプロットしたのが点Ｄ１である。また、点Ａ２のＲＧＢ値を第３プロファイルＣＰ３でＣＭＹＫ値に変換すると、図３（ｃ）に示すように、（Ｃ，Ｍ，Ｙ，Ｋ）＝（０，５０，３０，０）となる。このＣＭＹＫ値に対応するａ＊，ｂ＊の値をプロットしたのが点Ｄ２である。
【０１１３】
このような第３プロファイルＣＰ３では、原稿がＣＲＹＫ原稿の場合、色変換後の色再現範囲は、図１２に示すように、ＣＭＹＫによる色再現範囲とＣＲＹＫによる色再現範囲との共通部分となる。このため、インク色構成であるＣＭＹＫによる色再現範囲に対して、ブルー、マゼンタの色域の色再現範囲が狭くなる。
【０１１４】
一方、第４プロファイルＣＰ４は、前述のように、ＣＲＹＫの色再現範囲をＣＭＹＫの色再現範囲に変化させるカラープロファイルである。第４プロファイルＣＰ４は、図１２に示すように、ブルー、マゼンタの色域の色再現範囲を拡張し、レッドの色域の色再現範囲を縮小することで、ＣＲＹＫの色再現範囲をインク色構成であるＣＭＹＫの色再現範囲に変化させる。
【０１１５】
この第４プロファイルＣＰ４は、例えば、図１２に示すように、点Ａ１，Ａ２に対応する色を、それぞれ点Ｅ１，Ｅ２に対応する色に変換する。ここで、点Ａ１のＲＧＢ値を第４プロファイルＣＰ４でＣＭＹＫ値に変換すると、図３（ｄ）に示すように、（Ｃ，Ｍ，Ｙ，Ｋ）＝（３０，８０，０，０）となる。このＣＭＹＫ値に対応するａ＊，ｂ＊の値をプロットしたのが点Ｅ１である。また、点Ａ２のＲＧＢ値を第４プロファイルＣＰ４でＣＭＹＫ値に変換すると、図３（ｄ）に示すように、（Ｃ，Ｍ，Ｙ，Ｋ）＝（０，８０，１０，０）となる。このＣＭＹＫ値に対応するａ＊，ｂ＊の値をプロットしたのが点Ｅ２である。
【０１１６】
以上のように、インク色構成がＣＭＹＫで原稿色構成がＣＲＹＫの場合、第３プロファイルＣＰ３によれば、色変換後の色再現範囲が、インク色構成であるＣＭＹＫによる色再現範囲に対してブルー、マゼンタの色域の色再現範囲が狭くなる。これに対し、第４プロファイルＣＰ４によれば、ＣＲＹＫの色再現範囲をＣＭＹＫの色再現範囲に変化させ、ブルー、マゼンタの再現性を向上させることができる。このため、インクジェット印刷装置１では、インク色構成がＣＭＹＫで原稿色構成がＣＲＹＫの場合、第４プロファイルＣＰ４を用いる。
【０１１７】
次に、ＣＭＹＫ原稿に対して、第３プロファイルＣＰ３による色変換を行った場合、および第４プロファイルＣＰ４による色変換を行った場合のそれぞれの色再現範囲の変化を図１３に示す。
【０１１８】
原稿がＣＭＹＫ原稿の場合、第３プロファイルＣＰ３によれば、図１３に示すように、色変換後もＣＭＹＫによる色再現範囲が維持される。
【０１１９】
一方、ＣＭＹＫ原稿に対して、第４プロファイルＣＰ４による色変換を行った場合、彩度の低いブルー、マゼンタの色域が拡張されるため、色域９３の色が再現されず色味が悪くなる。
【０１２０】
このため、インクジェット印刷装置１では、インク色構成がＣＭＹＫで原稿色構成もＣＭＹＫの場合、第３プロファイルＣＰ３を用いる。
【０１２１】
以上説明したように、インクジェット印刷装置１では、インク色構成と原稿色構成との組み合わせごとの、インク色構成に応じた色再現範囲を再現するためのカラープロファイルを記憶部９に記憶している。色変換部８２は、画像読取部７で読み取られた原稿の原稿色構成および印刷時における印刷部３２のインク色構成に応じたカラープロファイルを用いて、原稿の画像データを色変換する。そして、印刷制御部７４は、色変換後の画像データに基づく印刷を実行する。
【０１２２】
これにより、例えばインクジェット印刷装置１でインク色構成の変更前に印刷された印刷物を原稿としてコピーする場合のように、原稿色構成による色再現範囲と印刷時のインク色構成による色再現範囲とが異なる場合でも、インク色構成による色再現範囲を再現できる。この結果、インクジェット印刷装置１は、色再現性を向上できる。
【０１２３】
なお、用紙種類に応じた、インク色構成と原稿色構成との組み合わせごとのカラープロファイルを記憶部９に記憶するようにしてもよい。この場合、色変換部８２は、印刷に使用される用紙種類に応じて、色変換処理で使用するカラープロファイルを選択する。印刷に使用される用紙種類は、コピー時にユーザ操作により指定される。このように、用紙種類に応じたカラープロファイルを用いることで、印刷画質を向上できる。
【０１２４】
上記実施の形態では、色材としてインクを用いるインクジェット印刷装置１について説明したが、他の色材を用いる他の印刷方式の印刷装置にも本発明は適用可能である。
【０１２５】
また、上記実施の形態では、インク色構成および原稿色構成としてＣＲＹＫとＣＭＹＫとがある場合について説明したが、インク色構成および原稿色構成はそれぞれ他の色の組み合わせでもよい。
【０１２６】
また、ユーザの操作パネル部８に対する操作に応じて色変換部８２がカラープロファイルを選択できるようにしてもよい。
【０１２７】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。例えば、実施の形態に示される全構成要素から幾つかの構成要素を削除してもよい。
【符号の説明】
【０１２８】
１  インクジェット印刷装置
２  給紙部
３  搬送印刷部
４  上面搬送部
５  排紙部
６  反転部
７  画像読取部
８  操作パネル部
９  記憶部
１０  制御部
３２  印刷部
３６，３６Ａ，３６Ｂ，３６Ｃ，３６Ｄ  インクジェットヘッド
３７，３７Ａ，３７Ｂ，３７Ｃ，３７Ｄ  インクカートリッジ装着部
３８，３８Ｋ，３８Ｃ，３８Ｒ，３８Ｙ，３８Ｍ  インクカートリッジ
３９  インク情報読取部
６１  カラープロファイルテーブル
７１  搬送制御部
７２  画像読取制御部
７３  画像処理部
７４  印刷制御部
８１  原稿判定部
８２  色変換部
８３  ドロップデータ生成部
ＣＰ１  第１プロファイル
ＣＰ２  第２プロファイル
ＣＰ３  第３プロファイル
ＣＰ４  第４プロファイル
【図１】
2015162796.tif 000003
【図２】
2015162796.tif 000004
【図３】
2015162796.tif 000005
【図４】
2015162796.tif 000006
【図５】
2015162796.tif 000007
【図６】
2015162796.tif 000008
【図７】
2015162796.tif 000009
【図８】
2015162796.tif 000010
【図９】
2015162796.tif 000011
【図１０】
2015162796.tif 000012
【図１１】
2015162796.tif 000013
【図１２】
2015162796.tif 000014
【図１３】
2015162796.tif 000015